(57)【要約】【課題】 通路を挟んで対向する遊技島に供給する際、傾斜したバランス樋をつなぎ合せて掛け渡すことがなく、郊外の広い通路の遊技店でも簡易に短時間で施工して取付けることが出来、美観も損なうことなく、然も落下することもなく、各遊技島の玉貯留量のバランス量が崩れても、素早く均等化に維持することが出来る、玉供給装置及び循環還流システムを提供する。【解決手段】パチンコ遊技機及び遊技媒体貸出機とパチンコ玉を揚送する玉揚送装置とから成る遊技島を対向して配設し、該遊技島の上方端部に玉供給装置を対向して備え、玉供給装置間にパチンコ玉の供給路と受給路である水平なバランス樋を掛け渡し、該玉供給装置は回転駆動する桟付傾斜ベルトと傾斜滑り台とから成り、玉供給装置から放出されたパチンコ玉は、回転駆動する桟付傾斜ベルトの回転力と、傾斜滑り台の落下速度によってバランス樋を転動して隣側の遊技島内に供給する、構成とした。【選択図】      図２
2005046391.tif 000002
【特許請求の範囲】
【請求項１】
複数台列設されたパチンコ遊技機及び遊技媒体貸出機と、パチンコ玉を磨きながら揚送する玉揚送装置とから成る遊技島を対向して配設し、当該遊技島の上方端部に玉供給装置を対向して備え、
上記玉供給装置間にパチンコ玉の供給路と受給路である水平なバランス樋を掛け渡し、当該玉供給装置は、回転駆動する桟付傾斜ベルトと、傾斜滑り台とから成り、玉供給装置から放出されたパチンコ玉は、回転駆動する桟付傾斜ベルトの回転力と、傾斜滑り台の落下速度によってバランス樋を転動して隣側の遊技島内に供給する、構成としたことを特徴とする玉供給装置。
【請求項２】
複数台列設されたパチンコ遊技機及び遊技媒体貸出機と、パチンコ玉を磨きながら揚送する上部タンクを備えた玉揚送装置と、遊技島内にパチンコ玉を貯留する玉貯留タンクと、上記上部タンクから供給されるパチンコ玉を島端部に導く供給樋と、該供給樋の終端に連接した玉供給装置を備えた遊技島を、通路を挟んで対向する位置に配設し、上記玉供給装置間に、供給路と受給路を兼ねた一本の水平なバランス樋を架け渡し、玉貯留タンク内の玉量に応じて、何れか側の玉供給装置が駆動している間、放出されたパチンコ玉がバランス樋を転動して対向した遊技島内に供給するようにしたことを特徴とする、循環還流システム。
【発明の詳細な説明】
【技術分野】
【０００１】
本発明は、遊技島に複数台列設されたパチンコ遊技機及び遊技媒体貸出機と、上部タンクを設けた玉揚送装置とを備え、遊技島内部の玉貯留タンクで多量のパチンコ玉を貯留させて循環還流させるように成した循環還流システムであって、更に詳しくは遊技島の上部間（玉供給装置間）に一本の水平なバランス樋を架け渡し、玉貯留タンク内の貯留量に応じて相互に供給し合う際、遊技島の上方端部に備えた玉供給装置を駆動させてバランス樋に送り出して供給すことにより、各遊技島内の玉貯留量を均等化するようにした、玉供給装置及び循環還流システムに関するものである。
【背景技術】
【０００２】
パチンコ遊技店の遊技島は、例えば複数台１５台乃至２０台程度のパチンコ遊技機を片面または両面に直線状に列設（横方向）させて配設した複数列の遊技島と、この複数列の遊技島に対向する位置に少し幅広の通路（中通路）を挟んで前後方向に配設した複数列の遊技島と、から構築されている。
遊技島においては、片面の所謂壁島の場合、略１５万発程度の、また両面の所謂両面島の場合は、略３０万発程度のパチンコ玉が使用（保有）され、循環還流するように成っており、各パチンコ遊技機及び各遊技媒体貸出機に対して上部の補給樋からパチンコ玉が補給される。この遊技島には上部タンクを備えてパチンコタ玉を磨きながら揚送する玉揚送装置と、島内に多量のパチンコ玉を貯留させる玉貯留タンクとが備えられ、該玉貯留タンク内に貯留した玉を循環還流（システム）させるようにしている。
【特許文献１】特願２００２−６４２４５号公報
【特許文献２】特開平７−１９４８３２号公報
【０００３】
上記遊技島において、島内に貯留した玉を循環還流させるシステムは、例えば遊技島内に多量のパチンコ玉を貯留させる玉貯留タンクと、この玉貯留タンクの端部の玉排出部に設けられた小型循環リフトと、この小型循環リフト若しくは各パチンコ遊技機から回収樋に排出されたパチンコ玉を上方に磨きながら揚送する玉揚送装置と、この玉揚送装置の上部には揚送されたパチンコ玉を一時貯留（貯留部）させておく上部タンクと、この上部タンクから各パチンコ遊技機や各遊技媒体貸出機に対してパチンコ玉を補給する補給樋と、上部タンクから溢れたパチンコ玉を玉貯留タンクに戻すためのオーバーフロー樋と、から大略構成され、島内のパチンコ玉が循環還流するようにし、営業に支障（補給トラブル等）がないようにしている。本出願人がこのような循環還流させるシステムを上記特許文献１に記載している。
【０００４】
上記における循環還流させるシステムは、左右方向に配設した遊技島の玉揚送装置の上部タンク同士には水平な１本のバランス樋が架け渡され、島内の玉貯留量に応じて上部タンク（内部側壁）に設けた加速手段（滑り台部材、シャツター部材を設けた吐出し口及び駆動手段等から成る構成）からバランス樋内部（シーソー方式の構成）にて相互に供給し合うようにしている。さらに、上記システムにおいて、少し幅広の通路（中通路）を挟んで前後方向に配設した遊技島にも供給するようにしている。図５のように少し幅広の通路（中通路）を挟んで対向する遊技島に供給する際は、上部タンク５の側壁に傾斜したバランス樋をつなぎ合せたバランス５０樋を隣島の端部の供給口まで延設させ、両方の遊技島に二本掛け渡していた。尚、図５において循環還流させるシステムの各構成は本発明と同じ符号を用いている。
【０００５】
また、少し幅広の通路（中通路）を挟んで対向する遊技島に連絡樋を介して供給することが出来る中間揚送装置を設けた構成が、上記特許文献２にて開示されている。
【発明の開示】
【発明が解決しようとする課題】
【０００６】
しかしながら、上記した循環還流システムにおいては、例えば少し幅広の通路（中通路）を挟んで対向する遊技島に供給するには、傾斜したバランス樋をつなぎ合せて隣島に掛け渡さなくてはならず、特に郊外における中通路の広い遊技店では、バランス樋の高さが低くなってしまうため、結局バランス樋を掛け渡すことが出来なかった。そのため、前後した遊技島にて遊技島の玉貯留量が増減し、営業に支障きたすような場合は店員が玉箱等にて玉を運ぶ作業（玉補充作業）をしなくてはならなかった。また、このようにつなぎ合わせたバランス樋を双方に掛け渡すため施工に時間を要し、さらに美観も悪く、然も落下する等の様々な問題を抱えていた。
【０００７】
また、上記特許文献２の中間揚送装置においては、長くした連絡樋（バランス樋）を介して少し幅広の通路（中通路）を挟んで対向する遊技島に供給するため、上記同様特に郊外における中通路の広い遊技店では、連絡樋の高さが低くなってしまうため、結局、連絡樋を掛け渡すことが出来ない。また、重みで連絡樋が落下する恐れもあった。
【０００８】
本発明は、以上の点に鑑みなされたもので、通路を挟んで対向する遊技島に供給する際、傾斜したバランス樋をつなぎ合せて掛け渡すことなくなり、郊外の広い通路の遊技店でも簡易に短時間で施工して取り付けることが出来、美観も損なうことなく、然も落下することがなく、さらに各遊技島の玉貯留量のバランス量が崩れても、素早く均等化に維持することが出来るため営業に支障をきたすことがない、玉供給装置及び循環還流システムを提供する。
【課題を解決するための手段】
【０００９】
本発明の構成によれば、複数台列設されたパチンコ遊技機及び遊技媒体貸出機と、パチンコ玉を磨きながら揚送する玉揚送装置とから成る遊技島を対向して配設し、当該遊技島の上方端部に玉供給装置を対向して備え、
上記玉供給装置間にパチンコ玉の供給路と受給路である水平なバランス樋を掛け渡し、当該玉供給装置は、回転駆動する桟付傾斜ベルトと、傾斜滑り台とから成り、玉供給装置から放出されたパチンコ玉は、回転駆動する桟付傾斜ベルトの回転力と、傾斜滑り台の落下速度によってバランス樋を転動して隣側の遊技島内に供給する、構成としたことによって達成される。
また、本発明の構成によれば、複数台列設されたパチンコ遊技機及び遊技媒体貸出機と、パチンコ玉を磨きながら揚送する上部タンクを備えた玉揚送装置と、遊技島内にパチンコ玉を貯留する玉貯留タンクと、上記上部タンクから供給されるパチンコ玉を島端部に導く供給樋と、該供給樋の終端に連接した玉供給装置を備えた遊技島を、通路を挟んで対向する位置に配設し、上記玉供給装置間に、供給路と受給路を兼ねた一本の水平なバランス樋を架け渡し、玉貯留タンク内の玉量に応じて、何れか側の玉供給装置が駆動している間、放出されたパチンコ玉がバランス樋を転動して対向した遊技島内に供給するようにした、ことによって達成される。
【発明の効果】
【００１０】
以上、本発明の構成における玉供給装置は、回転駆動する桟付傾斜ベルトと、傾斜滑り台とから成り、当該玉供給装置から放出されたパチンコ玉は、回転駆動する桟付傾斜ベルトの回転力と、傾斜滑り台の落下速度によってバランス樋を転動するため、放出されたパチンコ玉は勢いが維持されたままバランス樋を転動していき対向した遊技島内に速やかに、然も滞留することなく供給することが出来る。
【００１１】
また、複数台列設されたパチンコ遊技機及び遊技媒体貸出機と、パチンコ玉を磨きながら揚送する上部タンクを備えた玉揚送装置と、遊技島内にパチンコ玉を貯留する玉貯留タンクと、上記上部タンクから供給されるパチンコ玉を島端部に導く供給樋と、該供給樋の終端に連接した玉供給装置を備えた遊技島を、通路を挟んで対向する位置に配設し、上記玉供給装置間に、供給路と受給路を兼ねた一本の水平なバランス樋を架け渡し、玉貯留タンク内の玉量に応じて、何れか側の玉供給装置が駆動している間、放出されたパチンコ玉がバランス樋を転動して対向した遊技島内に供給されることにより、通路を挟んで対向した遊技島に供給する際、傾斜した長いバランス樋をつなぎ合せて掛け渡すことなく、郊外の広い通路の遊技店でも簡易に短時間で施工して取り付けることが出来、美観も損なうことなく、然も落下することがなく、さらに各遊技島の玉貯留量のバランス量が崩れても、素早く均等化に維持することが出来るため営業に支障をきたすことがない。
【００１２】
かくして、本発明によれば、パチンコ遊技機を片面または両面に直線状に列設（横方向）させて配設した複数列の遊技島と、この複数列の遊技島に対向する位置に少し幅広の通路（中通路）を挟んで前後方向に配設した複数列の遊技島の玉貯留量を、本発明の循環還流システムにて相互に供給し合うことで、常にパチンコ遊技店全体の玉貯留量を均等化に維持することが出来る。
【発明を実施するための最良の形態】
【００１３】
以下、図面に示した実施形態を詳細に説明していく。図１は本発明の循環還流システムを遊技島に施工した状態を示す正面図であり、遊技島の内、主に一方側（左側半分）のみを図示している。また、他方側（右側半分）にも同様の構成が備えられているが、図は略されている。尚、本発明の循環還流システムに限定されるものでない。ここでは、各遊技島内に全て玉貯留タンクを備えた構成としたが、必ずしも全ての遊技島に玉貯留タンクを備えなくても良い。
【実施例１】
【００１４】
図１に示すように、遊技島は複数台のパチンコ遊技機及び遊技媒体貸出機（周知なので共に不図示）列設されており、後述する循環還流システム１の各構成が備えられている。以下、説明する循環還流システム１は、例えば少し幅広の通路Ｃ（中通路）を挟んで前後方向に対向して配設した遊技島において、島内の玉貯留量に応じて相互に供給し合う、所謂、中通路バランスの実施形態について説明するが、これに限定されるものでない。
【００１５】
循環還流システム１は、各遊技島に複数台列設されたパチンコ遊技機及び遊技媒体貸出機と、パチンコ玉を磨きながら揚送する上部タンク５を備えた玉揚送装置６と、遊技島内に多量のパチンコ玉を貯留する玉貯留タンク７（例えば、メイン玉貯留タンク７Ａ及びサブ玉貯留タンク７Ｂ）とが備えられ、該玉貯留タンク７から排出したパチンコ玉を上記玉揚送装置６により上部タンク５内に揚送し、該上部タンク５からパチンコ遊技機及び遊技媒体貸出機に補給樋８により補給して循環還流するように構成され、さらに上部タンク５から端部側に導く供給樋１１と、隣側に供給する玉供給装置２０及び一本の水平なバランス樋１５とから、大略構成されている。
そして、各遊技島の玉貯留量（玉貯留タンク７の検知部７ａ、７ｂ）に応じて、何れか側の玉供給装置２０が駆動し、バランス樋１５にて供給することで、前後方向に配設した遊技島内の玉貯留量を均等化にさせることが出来るようにしている。
【００１６】
パチンコ遊技店においては、複数台１５台乃至２０台程度のパチンコ遊技機を片面または両面に直線状に列設させ左右方向に配設した複数列の遊技島と、この複数列の遊技島に対向する位置に少し幅広の通路Ｃ（中通路）を挟んで前後方向に同じように左右方向に配設した複数列の遊技島と、から構築されている。また、図示しないが、何れかの遊技島の端縁には、遊技客が獲得した景品玉を計数する、景品玉計数機（不図示）が設置され、この景品玉計数機に投入されたパチンコ玉は計数後、回収樋９にて回収される。
【００１７】
左右方向に配設した遊技島とは、片面または両面に横方向に配設され、パチンコ遊技機毎に椅子が設置され、僅かな通路が形成された遊技島のことを言う。
また、通路Ｃとは、少し幅広の通路に形成され、各遊技島の島端には遊技設備（玉計数機や両替機やカード発券機等）が設置されている中通路のことを言う。
前後方向に配設した遊技島とは、上述した通路Ｃを挟んで対向した位置に左右方向に配設した遊技島のことを言う。
【００１８】
上記したパチンコ遊技店に複数列設された遊技島は、一般的に片面の所謂壁島の場合は、略１５万発程度の、また両面の両面島の場合は、略３０万発程度のパチンコ玉が島内の玉貯留タンク７内に貯留（保有）されている。上記した玉貯留タンク７は、遊技島に列設されるパチンコ遊技機の台数によって設置個数（少なくとも一個以上）、多量のパチンコ玉を貯留する長さが異なるものを備えるようになっていて、ここでは、一つのメインタンク７Ａ（長めの略長方形状と成し、約１０万個収納可能）と、このメインタンク７Ａに順次に接続される一つのサブタンク７Ｂ（メインタンク７Ａより少し短めの略長方形状と成し、約５万個収納可能）との二個の玉貯留タンク７が備えられている（ここでは、他方側は省略）。
【００１９】
図１に基づいて、さらに遊技島の各設備について説明する。ここでは通路Ｃを挟んで前後方向に対向して配設した遊技島について述べる。
遊技島に構築された枠体には、複数台のパチンコ遊技機と遊技媒体貸出機とが交互に配設されている。このパチンコ遊技機の下方には、排出されたパチンコ玉（アウト玉）を回収する回収樋９が玉揚送装置６に向かって傾斜状に設けられている。略中央付近には回収したパチンコ玉を揚送する玉揚送装置６（例えば、布磨き揚送装置）が備えられ、磨きながら上部タンク５に揚送させている。パチンコ遊技機の上方には、磨かれた上部タンク５内のパチンコ玉を補給する補給樋８が端部に向かって傾斜状に設けられている。尚、上部タンク５内において余剰したパチンコ玉はオーバーフロー樋１０にて島内に戻される。
【００２０】
玉揚送装置６の上部タンク５は、パチンコ玉を一時貯留しておく貯留部（空間）が設けられていて、上部タンク５に設けた各々の排出口から補給樋８へ、また供給樋１１へとそれぞれ供給している。また、上部タンク５内には複数位置に検知部５ａ（検出ＳＷ）が設けられ、検知部５ａにて貯留量が減少していき検知すると、島内の小型循環リフト１２を駆動させるようにしている。遊技島内の玉揚送装置６の両側には複数の玉貯留タンク７が備えられている。該各々の玉貯留タンク７は、多量のパチンコ玉を貯留させておく、長さを有した略長方形状に形成されている。また、各々の玉貯留タンク７には側壁に検知部７ａ、７ｂ（例えば、上限検出ＳＷ、下限検出ＳＷ）が各々の高さの位置に設けられている。
島内の玉揚送装置６寄りの玉貯留タンク７Ａには小型循環リフト１２が隣接して設けられている。この小型循環リフト１２が駆動すると、玉貯留タンク７Ａ内のパチンコ玉が回収樋９へと排出され、玉揚送装置６にて揚送され、上部タンク５内にて一時貯留される。
尚、上部タンク５内にて余剰した貯留玉は、オーバーフロー樋１０にて島内に戻される。
【００２１】
次に、少し幅広の通路Ｃ（中通路）を挟んで配設した遊技島の上方端部に設けたバランス樋１５について説明する。バランス樋１５は、少し幅広の通路Ｃ（中通路）を挟んで対向した遊技島に足りる短い長さ（例えば、４メートル未満迄の長さ）を有しており、両側の上方端部に備えた玉供給装置２０の架台１７に設けた支持部材２２に両側が支持固定されている。バランス樋１５は、水平な一本の薄型断面コの字状に形成され、例えば板材（材質がＳＵＳ材等）から形成されている。この一本の水平のバランス樋１５にて玉供給装置２０から放出されたパチンコ玉を転動させている。つまり、この一本の水平なバランス樋１５は、供給路と受給路の役割を兼ねている。尚、バランス樋１５には、ゴミや埃等が付着しないようにカバーに覆われている。
上記したバランス樋１５によれば、従来のように長くしたバランス樋５０（連絡樋）にて供給することなく、短くしても遊技島同士を掛け渡すことが出来る。
【００２２】
また、バランス樋１５の内壁底面には、パチンコ玉が滑り易く、また転動する際の騒音を低減するために、ゴムマットやコーティング等が施されている。さらにこのバランス樋１５の何れか位置の側壁又は底面には複数個の長穴（パチンコ玉の径より小さい長穴）が設けられ、この長穴にてパチンコ玉の滞留していることを見つけることが出来、またゴミ取りの役目もする。このバランス樋１５は、上記したように薄型断面コの字状に形成され、然も短くして掛け渡しているため、少し幅広の通路Ｃ（中通路）を挟んで対向した位置の遊技島に掛け渡しても見た目が良く、美観を損ねることがない。
【００２３】
尚、図示しないが、後述する玉供給装置２０の桟付傾斜ベルト２５及び傾斜滑り台３０の長さ寸法を長く形成することによって、玉排出口２５ｄから放出されるパチンコ玉に落差（落下速度）が付き、さらに勢いが増すことで、４メートル以上の幅広の通路Ｃにも設置が可能となる。
さらに、後述する玉供給装置２０の駆動機構である、駆動モータ２６の回転速度を上げることによって、桟付傾斜ベルトに今以上の回転力が付き、玉排出口２５ｄから放出されるパチンコ玉に勢いが増すことで、４メートル以上の幅広の通路Ｃにも設置が可能となる。
【００２４】
次に、玉供給装置２０の構成について説明する。
玉供給装置２０は、遊技島の上方端部に設けた架台１７に固定されている。この架台１７は、上下方向に高さ調整出来るように螺子孔が設けられている。これは、遊技店によって異なる島の長さに応じて設置することが出来、傾斜角度を調節するためのものである。尚、この玉供給装置２０は、矩形状の化粧カバーに囲まれている。尚、外部にトラブル等を報知する表示ランプが設けられている。
【００２５】
ここでの玉供給装置２０は、桟付傾斜ベルト２５及び該ベルトを回転駆動させる駆動機構（駆動モータ２６）と、傾斜滑り台３０とから大略構成され、傾斜滑り台３０の先端側が支持部材２２に固定されている。また、傾斜滑り台３０と支持部材２２の間にはバランス樋１５にて隣島から転動してきたパチンコ玉を受け入れる開口した隙間３１が設けられ、該隙間３１から受け入れたパチンコ玉は玉供給口３３に導かれる。この玉供給口３３には玉供給パイプ３３ａが接続され、玉供給パイプ３３ａから回収樋９又は玉貯留タンク７内に供給される。
【００２６】
図３に示す、上記玉供給口３３付近には、玉供給パイプ３３ａ内に滞留したパチンコを検知する検知部３３ｂ（玉供給パイプ滞留検知ＳＷ）が設けられている。上記において、隣島からバランス樋１５にて供給され、玉供給口３３から玉供給パイプ３３ａにて回収樋９又は玉貯留タンク７内に供給されるが、何らかの原因で回収樋９が滞留してしまい、玉供給パイプ３３ａからパチンコ玉が流出しきれず、パイプ内が満杯状態となり、玉供給口３３付近まで逆流してしまう時が生じる。このような時、検知部３３ｂにて検知すると、何れの供給側の玉供給装置２０の駆動を素早く停止させて、供給トラブルにならないようにしている。尚、検知部３３ｂにて検知した場合は、トラブルとして外部表示に報知している。
【００２７】
図１乃至図４に示すように、玉供給装置２０は、桟付傾斜ベルト２５及び傾斜滑り台３０を各々傾斜した姿勢に備え、この傾斜滑り台３０の通路面が対向（向き合う）するように遊技島の上方端部側の架台１７に固定されている。
玉供給装置２０の桟付傾斜ベルト２５が組み込まれた上下フレーム２４は、例えば角度が約６０度に傾斜した姿勢に備えられている。該上下フレーム２４の下端側には玉流入口２５ｃが設けられ、この玉流入口２５ｃと、上部タンク５と連設した供給樋１１の終端とが連接されていて、玉流入口２５ｃから流入したパチンコ玉は桟付傾斜ベルト２５の各凸片２５ａの上に乗り、斜めに揚送されていく。この桟付傾斜ベルト２５には、多数のゴム材等から成る各凸片２５ａがベルトに溶着されている。
上記した上部タンク５に接続している供給樋１１の中には常にパチンコ玉が滞留した状態と成っている。そして、玉供給装置２０が駆動すれば序々に滞留したパチンコ玉が減り、上部タンク５側からパチンコ玉が序々に排出される。つまり、玉供給装置２０が駆動しなければ排出されず、その結果、従来の上部タンク５内に設けたシャツター部材の機能（役割）と成すため、シャツター部材（機構）を無くすことが出来る。
【００２８】
次に、玉供給装置２０の桟付傾斜ベルト２５及び該ベルトを駆動させる駆動機構（駆動モータ２６）について説明する。図２に示す玉供給装置２０の桟付傾斜ベルト２５は、上下フレーム２４にて覆われ側面の凹部に軸支されている。該上下フレーム２４の下方側が開口した玉流入口２５ｃで、上方側が開口した玉排出口２５ｄである。該桟付傾斜ベルト２５は、上下の軸受け２６ｂに軸支された上下の回動軸２６ａのプーリーにて巻回され、駆動モータ２６によって回転駆動するように構成されている。この駆動モータ２６の歯車と下の回転軸２６ａの歯車とがタイミングベルト２６ｃにて巻回され、駆動伝達されるように成している。
【００２９】
このように、駆動モータ２６により駆動し、傾斜した姿勢に備えられた桟付傾斜ベルト２５の下方側の各凸片２５ａに玉が乗りながら上方に持ち上げられ、開口した玉排出口２５ｄから放出される。このときパチンコ玉は、駆動モータ２６により回転駆動する際、生じる桟付傾斜ベルト２５の回転力（回転速度）を利用することで、勢い良く放出することができるようにしている。
【００３０】
上記した上下フレーム２４の側壁の中央付近には、桟付傾斜ベルト２５が正常に回転しているか、異常かを検知する検知部２５ｂ（回転検知ＳＷ）設けられている。上記において隣島から供給の要求出力があると、何れか側の玉供給装置２０が駆動する。玉供給装置２０の桟付傾斜ベルト２５は、駆動モータ２６によって回転駆動するように成しているが、長年使用していると駆動モータ２６の故障や、桟付傾斜ベルト２５の切断等のトラブルが生じる。このような時、検知部２５ｂにて異常と検知すると、玉供給装置２０が駆動トラブルを発生している報知されることで店員が早期に発見し、修復作業を行うことができる。尚、検知部２５ｂにて検知した場合は、トラブルとして外部表示に報知している。
上記した玉供給装置２０は、多数の凸片２５ａを設けた桟付傾斜ベルト２５と、該ベルトを駆動させる駆動機構による構成としたが、二本の駆動ベルトにてパチンコ玉を挟み込みながら傾斜揚送する構成のものであっても良い。
【００３１】
次に、玉供給装置２０の傾斜滑り台３０の構成について説明する。
傾斜滑り台３０は、上述した桟付傾斜ベルト２５で放出されたパチンコ玉をバランス樋１５に送り出して転動させるためのもので、傾斜した姿勢（約６０度）の通路と成している。該傾斜滑り台３０の上端と、上下フレーム２４の上端とを軸支して略正三角形の傾斜した姿勢にして架台１７に備えられている。このような姿勢の角度に備えることにより、玉供給装置２０の桟付傾斜ベルト２５から放出したパチンコ玉にさらに勢いを付け、この勢いを維持させたまま滑っていくようにしている。
傾斜滑り台３０は、上述した玉排出口２５ｄに連接され、該玉排出口２５ｄから放出されたパチンコ玉を勢い良くバランス樋１５に導くように側壁を有した略しの字の滑り台形状に形成（長さ）されている。
【００３２】
このように、回転駆動する桟付傾斜ベルト２５の回転力にて、上方斜めに持ち上げられ、開口した玉排出口２５ｄから勢い良く放出され、さらに傾斜した姿勢に備えられた傾斜滑り台３０の傾斜に沿って滑り落ちていく際、生じる傾斜滑り台３０の落下速度を利用することで、パチンコ玉に勢いを維持させたままバランス樋１５を滑っていくことが出来る。
【００３３】
上記傾斜滑り台３０の下方は、支持部材２２に固定されている。この支持部材２２には樋取付具２３が設けられ、バランス樋１５の端縁が接続されている。また、傾斜滑り台３０の下部には隙間３１が設けられ、この隙間３１から玉供給口３３へとパチンコ玉が転動していく。このように、隣側から供給され、バランス樋１５を転動してきたパチンコ玉は端部の隙間３１を通過して玉供給口３３から玉供給パイプ３３ａにて島内の回収樋９又は玉貯留タンク７内に供給されていく。
【００３４】
上記傾斜滑り台３０の先端付近のカバー２４ａには、隣島に掛け渡したバランス樋１５内に滞留してしまったパチンコ玉を検知する検知部３０ｂ（バランス樋滞留検知ＳＷ）が設けられている。上述したように一本のバランス樋１５内を相互に供給し合うように成しているが、長年使用していると、バランス樋１５に放出されたパチンコ玉に勢いがなくなり滞ってしまうというトラブルが生じる。要因として、樋内に積もった付着したゴミや埃及び湿気や異物等が考えられる。バランス樋１５に放出されたパチンコ玉が滞ってしまうと、営業に支障をきたしてしまう。そのため、バランス樋１５内が常に正常にパチンコ玉が転動しているか、監視する必要がある。
【００３５】
仮に、バランス樋１５内にてパチンコ玉がブリッジして滞ってしまい、供給元付近までパチンコ玉が溜まってしまうと傾斜滑り台３０から放出されなくなる。この放出されないパチンコ玉を検知部３０ｂにて異常と検知すると、供給元の玉供給装置２０の駆動を停止させ、同時にバランス樋１５に滞留しているトラブルが報知されることで店員が早期に発見し、修復作業を行うことができる。尚、検知部３０ｂにて検知した場合は、トラブルとして外部表示に報知している。また、バランス樋滞留検知ＳＷは、この場所に限定されるものでなく、バランス樋１５に設けても良い。
【００３６】
上述したように玉供給装置２０は、玉貯留量（増減要求信号）に応じて駆動するように制御され、検知すると駆動モータ２６により桟付傾斜ベルト２５が駆動し、供給樋１１に滞留したパチンコ玉が玉流入口２５ｃから各凸片２５ａに乗り、傾斜揚送され、玉排出口２５ｄから放出されたパチンコ玉は、さらに傾斜滑り台３０を滑って勢いを増し、その勢いが維持されたままバランス樋１５へと導かれ、バランス樋１５を滞留せずに転動していき隣側の玉供給装置２０の玉供給口３３へと速やかに供給される。
つまり、本発明の玉供給装置２０は、回転駆動する桟付傾斜ベルト２５による回転力と、傾斜滑り台３０による落下速度の相乗効果（作用）を利用して、バランス樋１５に勢い良くパチンコ玉を放出することによって相互に供給し合うようにしている。
この玉供給装置２０の駆動は、要求している側の対向側のみが駆動し、受給する側の玉供給装置２０は、駆動していない。また、供給要求が満たすまでの間、駆動し続ける。
【００３７】
次に、本発明の実施形態による遊技島は、以上のように構成されており、以下に示すように動作する。パチンコ遊技店において、少し幅広の通路Ｃ（中通路）を挟んで対向して配設された遊技島において相互にパチンコ玉を供給し合う、中通路バランスの場合の実施形態を示したものである。
例えば、ある遊技島において島内の玉貯留量が不足した場合、先ず、左右方向に配設された遊技島が供給可能であるか判断させ、仮に供給不可であれば、次いで少し幅広の通路Ｃを挟んで前後方向に、対向して配設した遊技島にて供給可能であるか判断させ、供給可能であれば、通路Ｃを挟んで架け渡したバランス樋１５を介して供給するようにしている。
【００３８】
図１に示す各遊技島において、左側の遊技島を遊技島Ａとし、少し幅広の通路Ｃ（中通路）を挟んだ右側の遊技島を遊技島Ｂとして詳述する。
遊技島Ａ側に設けた玉揚送装置６の上部タンク５内の貯留量が補給によって減ってくると、検知し、島内の小型循環リフト１２が駆動すると、玉貯留タンク７内のパチンコ玉が小型循環リフト１２により還元して排出するため、玉貯留タンク７内の玉貯留量が次第に減少してくる。そのために補充しなくてはならない。
【００３９】
先ず、左右方向に配設された遊技島が供給可能であるか判断し、左右方向に配設された遊技島には供給出来るだけの玉貯留量の余裕がないと判断すると、少し幅広の通路Ｃを挟んで対向して配設した遊技島Ｂから受給することになる。
【００４０】
そこで、遊技島Ａの玉貯留タンク７内の複数位置のうち、検知部７ｂ（下限検出ＳＷ）すると、隣島（遊技島Ｂ）の玉供給装置２０Ｂが駆動するように出力指令される。そして、隣島の玉供給装置２０Ｂが駆動すると、供給樋１１のパチンコ玉が玉流入口２５ｃから桟付傾斜ベルト２５の各凸片２５ａに乗り、傾斜揚送され、玉排出口２５ｄから放出されたパチンコ玉は傾斜滑り台３０を滑って勢いを増し、その勢いが維持されたままバランス樋１５へと導かれ、バランス樋１５を滞留せずに転動していき遊技島Ａの玉供給装置２０Ａ側の隙間３１から流出し、玉供給口３３から玉供給パイプ３３ａを経由して、回収樋９又は玉貯留タンク７内へと供給されるのである。そして、遊技島Ａの玉貯留タンク７内の複数位置の検知部７ａ（上限検出ＳＷ）にて検知した時点で、遊技島Ｂの玉供給装置２０Ｂの駆動が停止する。遊技島Ｂの玉供給装置２０Ｂは検知する迄は駆動し続けている。
【００４１】
図１の矢印で示すように、比較的貯留量の多い遊技島Ｂから貯留量が少なくなった遊技島Ａに供給することによって、遊技島Ａの玉貯留量が増え、営業に支障をきたすことがなくなり、店員が玉箱等にて玉を運ぶ作業（玉補充作業）をしなくて済む。尚、ここでは、遊技島Ｂから遊技島Ａへの供給としたが、逆に遊技島Ａから遊技島Ｂへの供給、受給もあり得る。また、仮に、遊技島Ａが景品玉計数機設置島の場合は、景品玉を投入することにより、貯留量が増える場合があり、このような時は、多い遊技島の玉供給装置２０を駆動して少ない遊技島へ供給することによって各遊技島における玉貯留量を均等化にさせることが出来る。 
【図面の簡単な説明】
【００４２】
【図１】本発明の循環還流システムを遊技島に施工した状態を示す正面図である。
【図２】本発明の玉供給装置の構成を示す全体側面図である。
【図３】本発明の玉供給装置の構成を示す全体斜視図である。
【図４】本発明の玉供給装置の構成を示す全体斜視図である。
【図５】従来の循環還流システムを遊技島に施工した状態の正面図である。
【符号の説明】
【００４３】
１    循環還流システム
５    上部タンク
６    玉揚送装置
７    玉貯留タンク
１１  供給樋
１５  バランス樋
２０  玉供給装置
２５  桟付傾斜ベルト
２６  駆動モータ
３０  傾斜滑り台
３３  玉供給口
【図１】
2005046391.tif 000003
【図２】
2005046391.tif 000004
【図３】
2005046391.tif 000005
【図４】
2005046391.tif 000006
【図５】
2005046391.tif 000007